(57)【特許請求の範囲】
【請求項１】
化粧液を含有する液体含浸基材と液体遮断フィルムが重ね合わされ、スポット状に接合されており、前記液体遮断フィルムを内側にして折畳まれて、密封可能な封入袋に収納されていることを特徴とするフェイスマスク。
【請求項２】
液体含浸基材が不織布、織物または編物であることを特徴とする請求項１記載のフェイスマスク。
【発明の詳細な説明】
【０００１】
【発明の属する技術分野】
本発明は化粧パックに使用するフェイスマスクに関するものである。
【０００２】
【従来の技術】
従来、顔をパックするために、ペースト状のパック剤や、シート状基材にペースト状またはゼリー状のパック剤を塗布したフェイスマスクが市販されている。最近では、更に簡便に顔のパックを行えるように、シート状基材に液状のパック用化粧料を含浸させ、これを袋に密封したものが市販されている。
【０００３】
このようにシート状基材に化粧液を含浸したフェイスマスクは四つ折り或いは六つ折りに折畳んだ状態で袋に封入されており、消費者が使用時に広げて使用するが、シート状基材が化粧液により濡れているため、重なり合った箇所が密着して広げ難いという問題があった。
【０００４】
このような問題を解消するために、本願出願人は先に実用新案登録第３０７２０２７号においてフェイスマスクのシートの周縁部に外方に突出した２つの摘み部を設けることを提案した。
【０００５】
また、特開２０００一２８７７５１号公報には、通液性を有するネット状または多数の小穴のあいた樹脂フィルムと不織布に重ねて接合したフェイスマスクとすることにより前記問題を解消することが記載されている。
【０００６】
【発明が解決しようとする課題】
実用新案登録第３０７２０２７号公報のフェイスマスクは、含浸させる化粧液の粘性が低い場合はシート状基材を容易に広げることができる。しかし、含浸させた化粧液の粘性が高い場合は、折畳まれて重なり合ったシート状基材の部分が互いに付着して離れ難く、無理に広げようとするとシート状基材が破れる虞があるため、丁寧に取り扱わなければならなかった。
【０００７】
一方、特開２０００一２８７７５１号公報のフェイスマスクは、折畳んだシート状基材を広げることは容易である。しかし、ネット状または多数の小穴があいているフィルムと不織布に重ねて接合しているので、フェイスマスクを顔に貼付・密着させるためにフェイスマスクを上から押さえて圧力を加えると、不織布に含浸させた化粧液がフィルムの穴から外に漏出し、すなわち有効成分が不織布から離脱し、この漏出した化粧液は再び元の不織布に戻ることがなく、パックしている最中にその有効成分を含む化粧液が蒸散したりして、パック効果が減少するために、実用性の点で限界があった。
【０００８】
本発明は、上記した問題点を解決し、化粧液を含有する液体含浸基材を広げ易くするとともに、液体含浸基材からの化粧液の分離、離脱や有効成分の蒸散を抑制したフェイスマスクを提供することを目的とする。
【０００９】
【課題を解決するための手段】
本発明によれば、化粧液を含有する液体含浸基材と液体遮断フィルムが重ね合わされ、スポット状に接合されており、前記液体遮断フィルムを内側にして折畳まれて、密封可能な封入袋に収納されていることを特徴とするフェイスマスクにより前記目的を達成する。
【００１２】
本発明における液体含浸基材としては、好ましくは、不織布、織物または編物である。
【００１３】
【発明の実施の形態】
以下、図面を参照しながら本発明を詳細に説明する。図１は本発明のフェイスマスクに使用するシート状物およびフェイスマスクの一実施例を示す斜視図、図２は別の実施例の図１と同様の斜視図、図３はフェイスマスクの折畳み手順の一実施例を示す工程図であり、折畳み状態を斜視図と端面図で示している。
【００１４】
本発明における液体含浸基材１、３は、化粧液を含有でき且つ湿潤状態でも適当な強度を有する柔軟なシート状物であれば特に限定されず、例えば、織物、編物、不織布、紙類のような繊維構造物や発泡性樹脂シートなどである。このような基材として公知の任意の素材を使用することができるが、レーヨン、コットン、ポリエステルなどの不織布が好ましく、その目付は２０ｇ／ｍ２〜６０ｇ／ｍ２程度が好ましい。また、不織布等の繊維構造物に熱融着性繊維を混入したり、ホットメルトバインダを付着したりして、熱接着性を付与して、液体遮断フィルム２、４と溶着できるようにしてもよい。
【００１５】
液体含浸基材３に含浸させる化粧液は、肌に柔軟性を与えたり、保湿性を与えたり、各種の栄養成分、薬効成分を含有する液体を使用する。本発明の化粧液は成分、性状など特に限定されるものではない。例えば、水溶液、乳液、工マルジョン、オイル、クリームなど種々の粘度のものが使用できる。これら液体を公知の種々の方法で繊維構造物や発泡性樹脂シートに塗布したり、含浸させて使用すればよい。
【００１６】
液体遮断フィルム２、４は、化粧液の漏出を防止するために通液孔のないフィルムであれば特に限定されるものではない。液体含浸基材３とヒートシール可能な低融点の樹脂製フィルム（例えば、ポリエチレン、ポリプロピレン等）の単体や低融点ポリマをラミネートした積層型フィルム、金属蒸着フィルムなどが、液体遮断フィルム２、４として使用できる。また、液体遮断フィルム４の厚みは５μｍ〜５００μｍ程度のものを使用できるが、液体含浸基材３と液体遮断フィルム４との積層体を折畳んで封入袋に収納することを考慮すると５μｍ〜１００μｍ程度が好ましい。
【００１７】
本発明のフェイスマスクにおいは、液体含浸基材３と液体遮断フィルム４とはスポット状に接合固定された状態である。
【００２０】
化粧液を液体含浸基材３に含浸させる場合、フェイスマスク形状に打抜く前の長尺の液体含浸基材１に含浸させてもよいし、或はフェイスマスク形状に打抜いた後に折畳みの前または後に含浸させてもよい。液体含浸基材３に化粧液を含浸させると、化粧液と液体遮断フィルム４との界面で作用する親和力により液体含浸基材３と液体遮断フィルム４とが互いに密着する。
【００２１】
また、重ね合わせた液体含浸基材３と液体遮断フィルム４を折畳む前に化粧液を含浸しても、液体遮断フィルム４が存在するので、液体含浸基材３が化粧液を含有した状態でも折畳み易い。
【００２２】
重ね合わせた液体含浸基材３と液体遮断フィルム４を折畳んだ後に化粧液を含浸させる場合、液体含浸基材３における毛細管現象とともに、液体含浸基材３と液体遮断フィルム４との間でも毛細管現象が生じるので、化粧液が液体含浸基材３全体に容易に拡散する。
【００２３】
本発明において、液体含浸基材３と液体遮断フィルム４とをスポット状に接合固定する場合、熱融着または接着剤による接着や縫合など種々のものがある。液体含浸基材３と液体遮断フィルム４とを接合する部位や、接合箇所の大きさ、形状は特に限定されるものではない。また、本発明の接合は、強固な接合形態もあれば、液体含浸基材３と液体遮断フィルム４を簡単に分離できる程度の接合形態も含まれる。これらの場合、液体含浸基材３と液体遮断フィルム４とを部分的に接合固定した後に、液体含浸基材３に化粧液を含浸させることが好ましい。
【００２５】
本発明のフェイスマスクは、封入袋に収納するとき、コンパクトにするために折畳むことが好ましい。液体遮断フィルム面側を内側にして折畳むことが好ましく、折り方法は例えば、２つ折り、４つ折り、６つ折り、８つ折りなど任意の方法が可能である。折畳まれたフェイスマスクであっても、使用時にフィルムを密着させたままの状態で広げれば、液体含浸基材同士の付着がなく、フィルムの剛性によって、広げ易い。
【００２６】
フェイスマスクが折畳まれて密封可能な封入袋に収納された形態は、液体含浸基材と液体遮断フィルムとが重ね合されスポット状に接合された状態である。封入袋としては公知の種々のものを使用することができ、袋の構造や形態は特に限定されるものではない。
【００２７】
また、消費者がフェイスマスクを広げる際に、取り扱いを容易にするために必要に応じてフェイスマスクの外周縁に外方に突出する掴み部を形成しておいてもよい。この場合、フェイスマスクを折畳んだ状態でも、２箇所以上の掴み部が重なり合わずに外方に突出しているように折畳むことが好ましい。
【００２８】
本発明のフェイスマスクでパックする際には、消費者は化粧液を含有した液体含浸基材が顔に接し、液体遮断フィルムが外面となるようにフェイスマスクを顔面に貼付する。液体遮断フィルムによりパック中に化粧液や有効成分の揮散することが防止され、優れたパック効果が奏される。
【００２９】
【実施例】
〔実施例１〕  図１に示すように、レーヨン不織布（目付４０ｇ／ｍ２  ）からなる液体含浸基材１とポリエチレンフイルムからなる液体遮断フィルム２を重合せた後、打抜きによってフェイスマスク１０を製造した。なお、図１においては分かり易く説明するために、液体含浸基材１、３と液体遮断フィルム２、４とを離して描いているが、実際は両者は密着した状態である。
【００３０】
図１に示すように、このフェイスマスク１０は外周縁に掴み部６が２箇所設けられ、また外周縁からの切込みが複数箇所に設けられ、目および鼻に対応する箇所にも切込みが形成され、口に対応する箇所には開口が形成されている。その後、液体含浸基材３にパック成分を含有する化粧液を含浸させた。
【００３１】
このフェイスマスク１０をレーヨン不織布面が顔面に接触するように貼付し、パックを行ったところ、化粧液の散逸が防止でき、パック効果が高かった。
【００３２】
〔実施例２〕
図２に示すように、レーヨン不織布（目付４０ｇ／ｍ２  ）からなる液体含浸基材１とポリエチレンフイルムからなる液体遮断フィルム２を重ね合せた後、フェイスマスク１個当り４箇所でスポット状に熱融着し（接合部を符号５で示した）、その後、打抜きによって図２に示すようなフェイスマスク１０を製造した。そして、液体含浸基材３にパック成分を含有する化粧液を含浸させた。
【００３３】
この実施例では、液体含浸基材１と液体遮断フィルム２とが接合されているので、打抜きの際に液体含浸基材１と液体遮断フィルム２とがずれることがなく、処理しやすかった。また、パックを行うときにも、液体含浸基材３と液体遮断フィルム４がずれることないので取扱い易かった。この実施例のフェイスマスク１０も液体遮断フィルム４があるので、化粧液の散逸が防止でき、パック効果が高かった。
【００３４】
〔実施例３〕
実施例２と同じ方法で、４箇所にてスポット状に熱融着したフェイスマスク１０を製造した。このフェイスマスク１０を図３に示すように、６つ折りの形態に折畳んだ。折畳まれたフェイスマスク１０の掴み部６を持って広げたところ、不織布部分同士が密着することなく、容易に広げることができた。更に、パックを行うときにもフィルムがずれることなく、化粧液の散逸も防止でき、パック効果が高かった。
【００３５】
【発明の効果】
本発明のフェイスマスクは、化粧液を含有する液体含浸基材と液体遮断フィルムが重ね合されスポット状に接合されている状態であるので、フェイスマスクを折畳んで封入袋に収納しても、液体遮断フィルムにより、化粧液を含んだ液体含浸基材の部分同士が密着することを防止できる。このため、小さく折畳んでコンパクトな状態で封入袋に収納させることができるので、携帯性に優れた製品とすることができる。
【００３６】
また、本発明のフェイスマスクは、消費者が折畳まれたフェイスマスクを広げる際にも、フェイスマスクに切込みや開口が形成されているにも拘らず、フェイスマスクを破損したりせずに、スムーズに広げることができ、非常に使用し易いやすものである。
【００３７】
本発明のフェイスマスクは、化粧液を含む液体含浸基材が肌に接するように顔に貼付するので、液体遮断フィルムが液体含浸基材を外側から覆うので、化粧液や有効成分の蒸散を防ぐことができる。そのため、従来１０分程度で蒸散していたような化粧液や有効成分も長時間に亘って液体含浸基材に保持でき、従って、パック時間を従来よりも長時間とすることができ、化粧液や有効成分を長時間に亘って肌に作用させることが可能であり、非常にパック効果を高めることができる。
【図面の簡単な説明】
【図１】本発明のフェイスマスクに使用するシート状物およびフェイスマスクの一実施例を示す斜視図である。
【図２】本発明のフェイスマスクの別の実施例の図１と同様の斜視図である。
【図３】本発明のフェイスマスクの折畳み手順の一実施例を示す工程図であり、折畳み状態を斜視図と端面図で示している。
【符号の説明】
１  液体含浸基材
２  液体遮断フィルム
３  フェイスマスクにおける液体含浸基材
４  フェイスマスクにおける液体遮断フィルム
５  接合部
６  掴み部
１０  フェイスマスク
【図１】
0003866555.tif 000002
【図２】
0003866555.tif 000003
【図３】
0003866555.tif 000004